【手続補正書】
【提出日】令和1年7月12日(2019.7.12)
【手続補正１】
【補正対象書類名】特許請求の範囲
【補正対象項目名】全文
【補正方法】変更
【補正の内容】
【特許請求の範囲】
【請求項１】
材料とコーティングを含む物品であって、
前記材料が、繊維、糸、紡績糸、又は革を含み、
前記コーティングが、約５ｋＤａ〜約１４４ｋＤａの重量平均分子量範囲を有する、絹のタンパク質又はその断片を含むことを特徴とする物品。
【請求項２】
前記絹のタンパク質又はその断片が、低分子量絹フィブロイン、中分子量絹フィブロイン、高分子量絹フィブロイン、又はこれらの組合せを含む請求項１に記載の物品。
【請求項３】
前記絹ベースのタンパク質又はその断片が、約５〜約１０ｋＤａ、約６ｋＤａ〜約１６ｋＤａ、約１７ｋＤａ〜約３８ｋＤａ、約３９ｋＤａ〜約８０ｋＤａ、約６０〜約１００ｋＤａ、及び約８０ｋＤａ〜約１４４ｋＤａからなる群から選択される平均の重量平均分子量範囲を有する請求項１に記載の物品。
【請求項４】
前記絹のタンパク質又はその断片が、約１〜約５の多分散性を有する請求項１から３のいずれかに記載の物品。
【請求項５】
前記コーティングが、化学剤を更に含む請求項１から４のいずれかに記載の物品。
【請求項６】
前記化学剤が、抗微生物剤、抗真菌剤、柔軟剤、撥水剤、撥油剤、染料、難燃剤、生地軟化剤、ｐＨ調整剤、抗クロッキング剤、抗ピリング剤、抗フェルティング剤、及びこれらの組合せからなる群から選択される請求項５に記載の物品。
【請求項７】
前記化学剤が、シリコーンを含む請求項５から６のいずれかに記載の物品。
【請求項８】
前記材料が、生地（ｆａｂｒｉｃ）、テキスタイル（ｔｅｘｔｉｌｅ）、織布材料（ｗｏｖｅｎ  ｍａｔｅｒｉａｌ）、不織布材料（ｎｏｎ−ｗｏｖｅｎ  ｍａｔｅｒｉａｌ）、ニット材料、クローシェ材料、天然の革、合成の革、又はこれらの組合せを含む請求項１から７のいずれかに記載の物品。
【請求項９】
前記材料が、ポリエステル、ポリアミド、ポリアラミド、ポリテトラフルオロエチレン、ポリエチレン、ポリプロピレン、ポリウレタン、シリコーン、ポリウレタンとポリエチレングリコールとの混合物、超高分子量ポリエチレン、高性能ポリエチレン、ナイロン、ポリエステル−ポリウレタンコポリマー、ＬＹＣＲＡ、綿、アルパカフリース、アルパカウール、ラマフリース、ラマウール、カシミア、ヒツジフリース、ヒツジウール、なめし革、セーム革（ｃｈａｍｏｉｓ  ｌｅａｔｈｅｒ）、パテント革、バケッタ革（ｖａｃｈｅｔｔａ  ｌｅａｔｈｅｒ）、ヌバック革（ｎｕｂｕｃｋ  ｌｅａｔｈｅｒ）、ローハイド革（ｒａｗｈｉｄｅ  ｌｅａｔｈｅｒ）、スプリット革（ｓｐｌｉｔ  ｌｅａｔｈｅｒ）、フルグレイン革（ｆｕｌｌ−ｇｒａｉｎ  ｌｅａｔｈｅｒ）、トップグレイン革（ｔｏｐ−ｇｒａｉｎ  ｌｅａｔｈｅｒ）、コレクトグレイン革（ｃｏｒｒｅｃｔｅｄ−ｇｒａｉｎ  ｌｅａｔｈｅｒ）、通気性の擬革（ｐｏｒｏｍｅｒｉｃ  ｉｍｉｔａｔｉｏｎ  ｌｅａｔｈｅｒ）、ビニル及び／又はポリアミドフェルト繊維、ポリウレタン合成皮革（ｐｏｌｙｕｒｅｔｈａｎｅ  ｓｙｎｔｈｅｔｉｃ  ｌｅａｔｈｅｒ）、ポリ塩化ビニル合成皮革（ｐｏｌｙｖｉｎｙｌ  ｃｈｌｏｒｉｄｅ  ｓｙｎｔｈｅｔｉｃ  ｌｅａｔｈｅｒ）、ポリエチレン皮革（ｐｏｌｙｅｔｈｙｌｅｎｅ  ｌｅａｔｈｅｒ）、ポリプロピレン皮革（ｐｏｌｙｐｒｏｐｙｌｅｎｅ  ｌｅａｔｈｅｒ）、酢酸ビニルコポリマー合成皮革（ｖｉｎｙｌ  ａｃｅｔａｔｅ  ｃｏｐｏｌｙｍｅｒ  ｓｙｎｔｈｅｔｉｃ  ｌｅａｔｈｅｒ）、ポリアミド合成皮革（ｐｏｌｙａｍｉｄｅ  ｓｙｎｔｈｅｔｉｃ  ｌｅａｔｈｅｒ）、ポリエステル合成皮革（ｐｏｌｙｅｓｔｅｒ  ｓｙｎｔｈｅｔｉｃ  ｌｅａｔｈｅｒ）、テキスタイル−ポリマーコンポジットマイクロファイバー、ｃｏｒｆａｎ皮革（ｃｏｒｆａｎ  ｌｅａｔｈｅｒ）、ｋｏｓｋｉｎ皮革（ｋｏｓｋｉｎ  ｌｅａｔｈｅｒ）、模造革（ｌｅａｔｈｅｒｅｔｔｅ）の１つ以上を含む請求項１から８のいずれかに記載の物品。
【請求項１０】
前記コーティングが、前記繊維、前記糸、前記紡績糸レベルで適用される請求項１から９のいずれかに記載の物品。
【請求項１１】
前記コーティングが、生地、織布材料（ｗｏｖｅｎ  ｍａｔｅｒｉａｌ）、不織布材料（ｎｏｎ−ｗｏｖｅｎ  ｍａｔｅｒｉａｌ）、ニット材料、クローシェ材料、天然の革、合成の革レベルで適用される請求項１から９のいずれかに記載の物品。
【請求項１２】
絹ベースのタンパク質又はその断片を含む組成物で材料をコーティングして、絹フィブロインコーティングされた材料を提供する方法であって、前記方法は、
前記絹フィブロイン溶液で前記材料の表面をコーティングすることと、
前記絹フィブロイン溶液でコーティングされた前記材料の前記表面を乾燥し、前記絹フィブロインコーティングされた材料を提供することと、を含むことを特徴とする方法。
【請求項１３】
前記絹フィブロイン溶液が、低分子量絹フィブロイン、中分子量絹フィブロイン、高分子量絹フィブロイン、及びこれらの組合せの１つ以上の濃度を含む請求項１２に記載の方法。
【請求項１４】
前記絹フィブロイン溶液が、約５〜約１０ｋＤａ、約６ｋＤａ〜約１６ｋＤａ、約１７ｋＤａ〜約３８ｋＤａ、約３９ｋＤａ〜約８０ｋＤａ、約６０〜約１００ｋＤａ、及び約８０ｋＤａ〜約１４４ｋＤａからなる群から選択される平均の重量平均分子量範囲を有する絹ベースのタンパク質又はその断片を含む請求項１２に記載の方法。
【請求項１５】
前記材料の前記表面を乾燥することが、絹フィブロインコーティング性能を実質的に変化させることなく、前記材料の前記表面を加熱することを含む請求項１２から１４のいずれかに記載の方法。
【請求項１６】
前記材料を化学剤でコーティングすることを更に含む請求項１２から１５のいずれかに記載の方法。
【請求項１７】
前記化学剤が、前記絹フィブロイン溶液に添加される、又は前記絹フィブロイン溶液によるコーティングステップの前若しくは後に別のコーティングステップにおいて提供される請求項１６に記載の方法。
【請求項１８】
前記化学剤が、抗微生物剤、抗真菌剤、柔軟剤、撥水剤、撥油剤、染料、難燃剤、生地軟化剤、ｐＨ調整剤、抗クロッキング剤、抗ピリング剤、抗フェルティング剤、及びこれらの組合せからなる群から選択される請求項１６から１７のいずれかに記載の方法。
【請求項１９】
前記化学剤が、シリコーンを含む請求項１６から１８のいずれかに記載の方法。
【請求項２０】
前記絹フィブロイン溶液が、ブレンステッド酸を更に含む請求項１２から１９のいずれかに記載の方法。
【請求項２１】
前記材料が、繊維、糸、紡績糸、生地（ｆａｂｒｉｃ）、テキスタイル（ｔｅｘｔｉｌｅ）、織布材料（ｗｏｖｅｎ  ｍａｔｅｒｉａｌ）、不織布材料（ｎｏｎ−ｗｏｖｅｎ  ｍａｔｅｒｉａｌ）、ニット材料、クローシェ材料、天然の革、合成の革の１つ以上を含む請求項１２から２０のいずれかに記載の方法。
【請求項２２】
前記材料が、ポリエステル、ポリアミド、ポリアラミド、ポリテトラフルオロエチレン、ポリエチレン、ポリプロピレン、ポリウレタン、シリコーン、ポリウレタンとポリエチレングリコールとの混合物、超高分子量ポリエチレン、高性能ポリエチレン、ナイロン、ポリエステル−ポリウレタンコポリマー、ＬＹＣＲＡ、綿、アルパカフリース、アルパカウール、ラマフリース、ラマウール、カシミア、ヒツジフリース、ヒツジウール、なめし革、セーム革（ｃｈａｍｏｉｓ  ｌｅａｔｈｅｒ）、パテント革、バケッタ革（ｖａｃｈｅｔｔａ  ｌｅａｔｈｅｒ）、ヌバック革（ｎｕｂｕｃｋ  ｌｅａｔｈｅｒ）、ローハイド革（ｒａｗｈｉｄｅ  ｌｅａｔｈｅｒ）、スプリット革（ｓｐｌｉｔ  ｌｅａｔｈｅｒ）、フルグレイン革（ｆｕｌｌ−ｇｒａｉｎ  ｌｅａｔｈｅｒ）、トップグレイン革（ｔｏｐ−ｇｒａｉｎ  ｌｅａｔｈｅｒ）、コレクトグレイン革（ｃｏｒｒｅｃｔｅｄ−ｇｒａｉｎ  ｌｅａｔｈｅｒ）、通気性の擬革（ｐｏｒｏｍｅｒｉｃ  ｉｍｉｔａｔｉｏｎ  ｌｅａｔｈｅｒ）、ビニル及び／又はポリアミドフェルト繊維、ポリウレタン合成皮革（ｐｏｌｙｕｒｅｔｈａｎｅ  ｓｙｎｔｈｅｔｉｃ  ｌｅａｔｈｅｒ）、ポリ塩化ビニル合成皮革（ｐｏｌｙｖｉｎｙｌ  ｃｈｌｏｒｉｄｅ  ｓｙｎｔｈｅｔｉｃ  ｌｅａｔｈｅｒ）、ポリエチレン皮革（ｐｏｌｙｅｔｈｙｌｅｎｅ  ｌｅａｔｈｅｒ）、ポリプロピレン皮革（ｐｏｌｙｐｒｏｐｙｌｅｎｅ  ｌｅａｔｈｅｒ）、酢酸ビニルコポリマー合成皮革（ｖｉｎｙｌ  ａｃｅｔａｔｅ  ｃｏｐｏｌｙｍｅｒ  ｓｙｎｔｈｅｔｉｃ  ｌｅａｔｈｅｒ）、ポリアミド合成皮革（ｐｏｌｙａｍｉｄｅ  ｓｙｎｔｈｅｔｉｃ  ｌｅａｔｈｅｒ）、ポリエステル合成皮革（ｐｏｌｙｅｓｔｅｒ  ｓｙｎｔｈｅｔｉｃ  ｌｅａｔｈｅｒ）、テキスタイル−ポリマーコンポジットマイクロファイバー、ｃｏｒｆａｎ皮革（ｃｏｒｆａｎ  ｌｅａｔｈｅｒ）、ｋｏｓｋｉｎ皮革（ｋｏｓｋｉｎ  ｌｅａｔｈｅｒ）、模造革（ｌｅａｔｈｅｒｅｔｔｅ）の１つ以上を含む請求項１２から２１のいずれかに記載の方法。
【請求項２３】
前記化学剤が、材料の第１の選択された性質、第２の選択された性質、又は第３の選択された性質の１つ以上を改善するように選択され、
前記第１の選択された性質が、抗微生物性、撥水性、撥油性、難燃性、着色性、生地軟化性、耐しみ性（ｓｔａｉｎ  ｒｅｐｅｌｌａｎｔ  ｐｒｏｐｅｒｔｙ）、ｐＨ調整性、抗クロッキング性、抗ピリング性、及び抗フェルティング性のうちの１つ以上を含み、
前記第２の選択された性質が、湿潤時間、吸収率、広がり速度（ｓｐｒｅａｄｉｎｇ  ｓｐｅｅｄ）、累積一方向輸送（ａｃｃｕｍｕｌａｔｉｖｅ  ｏｎｅ−ｗａｙ  ｔｒａｎｓｐｏｒｔ）、及び総合水分マネジメント能力（ｏｖｅｒａｌｌ  ｍｏｉｓｔｕｒｅ  ｍａｎａｇｅｍｅｎｔ  ｃａｐａｂｉｌｉｔｙ）のうちの１つ以上を含み、
前記第３の選択された性質が、生地風合い、生地の伸長、及びドレープ性のうちの１つ以上を含む請求項１６から２２のいずれかに記載の方法。
【請求項２４】
材料の第１の選択された性質、第２の選択された性質、又は第３の選択された性質の１つ以上の改善が、約５サイクル、約１０サイクル、約２５サイクル、及び約５０サイクルからなる群から選択される機械洗浄サイクルの後に決定される請求項２３に記載の方法。